(57)【特許請求の範囲】
【請求項１】
大規模の倉庫建屋内にこの倉庫建屋の内側にシートを添わせて外気の流入を遮断するテントハウスを形成し、このテントハウスの内部温度が常にコイルに結露を発生させない温度に維持されるようにしてコイルを無梱包の状態のままテントハウス内に保管することを特徴とするコイルの保管方法。
【請求項２】
テントハウスの内部温度を、コイルの表面温度が結露温度より低くならないようにしてコイルを保管する請求項１に記載のコイルの保管方法。
【請求項３】
テントハウスの内部にコイル搬送装置が設けられており、このコイル搬送装置によってコイルを任意の場所へ移送するようにした請求項１または２に記載のコイルの保管方法。
【請求項４】
テントハウスに二重式ドアにより外気の流入が遮断されるコイル搬入出用のトラックピットが設けられている請求項１または２または３に記載のコイルの保管方法。
【発明の詳細な説明】
【０００１】
【発明の属する技術分野】
本発明は、大規模倉庫内においてコイルを無梱包の状態のままで保管しても、コイルに汚れや錆等を発生させることがないコイルの保管方法に関するものである。
【０００２】
【従来の技術】
従来、製鉄工場で生産された鉄板素材であるコイルは粉塵や虫による汚れや、結露による錆の発生を防止する等の必要性から１個毎に例えば合成樹脂製のシート等の梱包材料で梱包したうえで、大規模倉庫内に保管していた。しかしながら１個毎に梱包処理されたコイルは、コイルの使用先工場において梱包を取り除く必要があって作業性に劣るという問題点があり、また、梱包材料がゴミ発生の要因や製品コストアップの要因になるという問題点があった。
【０００３】
そこで最近では、コイルを無梱包のままで大規模倉庫内に保管し、それを使用先工場に搬入する無梱包方式のコイルの保管方法が検討されるようになってきたが、製鉄工場の倉庫内でコイルを無梱包のままで保管していると、粉塵や虫による汚れの発生や結露による錆の発生を防ぐことができず、コイルの品質が低下してしまうという問題点があった。
【０００４】
【発明が解決しようとする課題】
本発明は上記のような従来の問題点を解決して、大規模倉庫内においてコイルを無梱包の状態のままで保管しても汚れや錆等を発生させることがなくコイルを高品質に保管することができ、しかも、作業性およびゴミの低減化にも優れていて大幅なコストダウンも図ることができるコイルの保管方法を提供することを目的として完成されたものである。
【０００５】
【課題を解決するための手段】
上記の課題を解決するためになされた本発明のコイルの保管方法は、大規模の倉庫建屋内にこの倉庫建屋の内側にシートを添わせて外気の流入を遮断するテントハウスを形成し、このテントハウスの内部温度が常にコイルに結露を発生させない温度に維持されるようにしてコイルを無梱包の状態のままテントハウス内に保管することを特徴とするものであり、これを基本構成とする。また、前記したようなコイルの保管方法において、テントハウスの内部温度は、コイルの表面温度が結露温度より低くならないようにしてコイルを保管することが好ましく、これを請求項２に係る発明とする。さらに、前記したようなコイルの保管方法に用いるテントハウスの内部にコイル搬送装置を設けておくことによりコイルを任意の場所へ的確容易に移送できるようにする方法を請求項３に係る発明とし、前記した各発明において、テントハウスに二重式ドアにより外気の流入が遮断されるコイル搬入出用のトラックピットを設けておくことによりコイル搬入出時における外気の流入や室内温度の変化をなくすようにした方法を請求項４に係る発明とする。即ち、従来コイルの錆等の問題に対して梱包様式を２重３重として外気とコイルとの接触を遮断するようにし、梱包資材を補強する発想が一般的であったが、本発明は従来とは全く逆の発想であり、梱包資材については無視し、コイルが保管されている環境に着目し、倉庫建屋にシートを添わせて外気との遮断をはかり、極めて有利なコイルの保管方法を提供することにある。
【０００６】
【発明の実施の形態】
以下に、図面を参照しつつ本発明の好ましい実施の形態を示す。
図面は、コイルを保管していた既存の大規模の倉庫建屋を改良した改良倉庫により本発明を実施している状態を示すものであって、図中１は倉庫建屋、２は天井部に備えられたクレーンを主体とするコイル搬送装置である。前記した倉庫建屋１の内部にはこの倉庫建屋１の内側にビニールシートなどの合成樹脂シートその他通気性のないシート３を添わせて外気の流入を遮断するようにしたテントハウス４が形成されている。なお、図１に示した実施例ではテントハウス４が倉庫１の内部全体に形成されたものとしてあるが、図３に示されるように、半分のみにテントハウス４を形成することもでき、その他、保管するコイル１０のブロック群に対応させた大きさで複数のテントハウス４を形成することもできる。
【０００７】
そして、前記したテントハウス４はその内部が外部と遮断されるとともに無風化されて保管温度を常にコイルに結露を発生させない温度に維持させるためのものであり、このような外気の流入が遮断されているとともに、室温が常にコイルの結露を発生させないように維持されるテントハウス４内でコイル１０を無梱包の状態のまま保管するようにした点に本発明の特徴的構成がある。
即ち、従来の既存の倉庫内で無梱包の状態でコイル１０を保管した場合には、外気の流入に伴い粉塵や虫等が倉庫内に入り込み、コイル１０の表面に付着して汚れを発生させる要因となっており、また、倉庫内で空気が動くことによって床や天井等に堆積していた粉塵が浮遊してコイル１０の表面に付着し汚れを発生させる要因となっていることに着目し、本発明では倉庫内部全体の無風化を図ったものである。更には、密閉状態にある前記テントハウス４の温室効果により、外気温の影響を極力少なくして室温の低下を防止するとともにコイル１０の恒温化を図り、常にコイル１０の表面温度が結露を発生させないようにしたものである。
【０００８】
因みに、本発明者等の実験データによれば、テントハウス４の内部温度はコイル１０の表面温度が結露温度より低くならないよう維持できることにより結露の発生をより有効に防止できることが確認できた。なお、結露発生の防止手段としてはヒータ等の加熱装置を設けることも考えられるが、大掛かりな設備投資および加熱処理に費用がかかりコストアップの要因となるので好ましくない。これに対して、本発明によれば加熱装置を使用しなくても外気の流入を遮断するテントハウス４の内部温度をコイルに結露を発生させない温度に保持することができ、また、加熱装置を使用する場合でも極く小型のものでよいので、温度維持に要する費用は大幅に低減できることとなる。
【０００９】
また、テントハウス４の内部には前記したようにコイル搬送装置２が備えられていて、この搬送装置によってコイル１０を任意の場所へ的確容易に移送できるよう構成されているうえに、図２に示されるように、テントハウス４にはトラック受入れ用の蛇腹式フード６の両端に二重式ドア７ａ、７ｂが取付けられて室内へ外気の流入が遮断されるようにしたコイル搬入出用のトラックピット５が設けられていてコイル搬入出時におけるテントハウス４内への外気の流入によるテントハウス４の室内温度の変化をなくすようにしてある。
【００１０】
このように本発明においては、無梱包のコイル１０を大規模の倉庫建屋１内に形成したテントハウス４内で保管することにより外気の流入を遮断し、テントハウス４の内部温度を常にコイルに結露を発生させない温度に調整するようにしたので、従来のように粉塵による汚れや結露による錆の発生を確実に防止することができ、コイルの無梱包化にもかかわらず製品品質の維持を可能にするものである。
【００１１】
【実施例】
図１に示されるように、既存の大規模の倉庫建屋１の内部全体をビニール製のシート３で覆ってほぼ密閉状態となっているテントハウス４を作り、特別な加熱装置を設けることなくこの中に無梱包のコイル１０を保管して汚れや錆等の発生による不良品発生率につき調査した結果、１年を通じて１回も不良品の発生がなく優れた効果があることが確認できた。
なお、テントハウスのない従来の倉庫に無梱包のコイルを保管した場合には、図４および図５に示されるように、１年間で９回の結露の発生があった。また、結露発生時のコイル表面温度の１日の経時変化を測定した結果は、図６に示されるとおりであり、本発明においてはコイル表面温度が恒温化されて外気温の影響を受けにくいのに対し、従来のものは外気温の影響を大きく受けて露点を最大２℃下回り結露を発生させたことが判明した。
【００１２】
【発明の効果】
以上の説明からも明らかなように、本発明は大規模倉庫内においてコイルを無梱包の状態のままで保管しても汚れや錆等を発生させることがなくコイルを高品質に保管することができ、しかも、作業性およびゴミの低減化にも優れていて大幅なコストダウンも図ることができるものである。更に、本発明は密閉構造の倉庫を新設するのではなく、既設の倉庫建屋を簡単に手直ししてそっくり利用できるものであるため、大きな設備投資も必要とせず最低限の費用および施工期間で改造を行うことができるという利点もある。
よって本発明は従来の問題点を一掃したコイルの保管方法として、産業の発展に寄与するところは極めて大である。
【図面の簡単な説明】
【図１】本発明の実施の形態を示す正面断面図である。
【図２】本発明の実施の形態を示す平面断面図である。
【図３】その他の実施の形態を示す正面断面図である。
【図４】毎月の結露の発生回数を示すグラフである。
【図５】１年間の結露の発生回数を示すグラフである。
【図６】コイル表面温度の１日の経時変化と結露発生の関係を示すグラフである。
【符号の説明】
１  倉庫建屋
２  コイル搬送装置
３  シート
４  テントハウス
５  コイル搬入出用のトラックピット
7a  二重式ドア
7b  二重式ドア
10  コイル
【図１】
0003831131.tif 000002
【図２】
0003831131.tif 000003
【図３】
0003831131.tif 000004
【図４】
0003831131.tif 000005
【図５】
0003831131.tif 000006
【図６】
0003831131.tif 000007